(57)【要約】【課題】録画された連続ドラマなどのような定期番組を週末などに視聴する際に、再生リスト画面をディスプレイ装置に表示させずに、再生キーを押下するだけで、未視聴の連続ドラマを再生できるようにした情報記録再生装置を提供する。【解決手段】再生キーの押下が検出されたときに、再生中でなくリジュームがオンでない場合に、定期録画タイトルが有るか無いかが判定される。定期録画タイトルが有ると判定された場合は、未視聴の定期録画タイトルが有るか無いかが視聴フラグにより判定される。未視聴の定期録画タイトルが無いと判定された場合は、タイトル管理情報に基づいて最も新しいタイトルが選択され、また、未視聴の定期録画タイトルが有ると判定された場合には、タイトル管理情報に基づいて未視聴の定期録画タイトルの中から最も古い未視聴の定期録画タイトルが選択され、再生が開始される。【選択図】図３
2008118427.tif 000002
【特許請求の範囲】
【請求項１】
記録媒体に対してテレビ番組やその他の情報を記録／再生する情報記録再生装置において、
再生キーの押下を検出したときに、当該記録媒体に対して再生中でなく、リジュームがオンでない場合に、録画予約の際に、タイトル管理情報に付加した定期録画タイトルフラグにより、定期録画タイトルが有るか無いかを判定する定期録画タイトル有無判定手段と、
前記定期録画タイトルが有ると判定された場合に、未視聴の定期録画タイトルが有るか無いかを視聴フラグにより判定する未視聴定期録画タイトル有無判定手段と、
未視聴の定期録画タイトルが有ると判定された場合に、タイトル管理情報に基づいて前記未視聴の定期録画タイトルの中から最も古い未視聴の定期録画タイトルを選択する最古未視聴定期録画タイトル選択手段と、
前記定期録画タイトルが無いと判定された場合、または前記未視聴の定期録画タイトルが無いと判定された場合に、タイトル管理情報に基づいて最も新しいタイトルを選択する最新タイトル選択手段と、
前記最も古い未視聴の定期録画タイトルが選択された場合に、前記最も古い未視聴の定期録画タイトルに既にリジュームポイントが付いているか否かを判定するリジュームポイント判定手段と、
既にリジュームポイントが付いていると判定された場合に、再生開始位置をリジュームポイントに設定し、リジュームポイントが付いていないと判定された場合には、再生開始位置をタイトル先頭に設定する再生開始位置設定手段と、
前記設定された再生開始位置からタイトルの再生を開始させるタイトル再生開始手段と、を有するシステムコントローラを備えたことを特徴とする情報記録再生装置。
【請求項２】
記録媒体に対してテレビ番組やその他の情報を記録／再生する情報記録再生装置において、
再生キーの押下を検出したときに、当該記録媒体に対して再生中でなく、リジュームがオンでない場合に、未視聴の定期録画タイトルが有ると判定すると、前記未視聴の定期録画タイトルの中から最も古い未視聴の定期録画タイトルを選択し、再生を開始させるシステムコントローラを備えたことを特徴とする情報記録再生装置。
【請求項３】
前記システムコントローラは、再生キーの押下を検出したときに、当該記録媒体に対して再生中でなく、リジュームがオンでない場合に、録画予約の際に、タイトル管理情報に付加した定期録画タイトルフラグにより、定期録画タイトルが有るか無いかを判定する定期録画タイトル有無判定手段と、前記定期録画タイトルが有ると判定された場合に、未視聴の定期録画タイトルが有るか無いかを視聴フラグにより判定する未視聴定期録画タイトル有無判定手段と、未視聴の定期録画タイトルが有ると判定された場合に、タイトル管理情報に基づいて前記未視聴の定期録画タイトルの中から最も古い未視聴の定期録画タイトルを選択する最古未視聴定期録画タイトル選択手段と、前記定期録画タイトルが無いと判定された場合、または前記未視聴の定期録画タイトルが無いと判定された場合に、タイトル管理情報に基づいて最も新しいタイトルを選択する最新タイトル選択手段と、前記設定された再生開始位置からタイトルの再生を開始させるタイトル再生開始手段とを有することを特徴とする請求項２に記載の情報記録再生装置。
【請求項４】
前記システムコントローラは、前記最も古い未視聴の定期録画タイトルが選択された場合に、前記最も古い未視聴の定期録画タイトルに既にリジュームポイントが付いているか否かを判定するリジュームポイント判定手段と、既にリジュームポイントが付いていると判定された場合に、再生開始位置をリジュームポイントに設定し、リジュームポイントが付いていないと判定された場合には、再生開始位置をタイトル先頭に設定する再生開始位置設定手段と、前記設定された再生開始位置からタイトルの再生を開始させるタイトル再生開始手段とを有することを特徴とする請求項３に記載の情報記録再生装置。
【発明の詳細な説明】
【技術分野】
【０００１】
本発明は、記録媒体として少なくともハードディスクを有し、このハードディスクに対してテレビ番組やその他の情報を記録／再生する情報記録再生装置に関し、特に、定期的に録画した連続ドラマなどのテレビ番組を再生する場合の処理に関する。
【背景技術】
【０００２】
近年、チューナで受信したテレビ番組を、ハードディスクに記録し、再生できるハードディスク装置（ハードディスクレコーダ）が普及している。このようなハードディスク装置と、ＤＶＤ（デジタルバーサタイルディスク）などの光ディスクに対して情報の記録／再生を行う光ディスク装置（ＤＶＤレコーダ）とが組み込まれた複合型記録再生装置も普及している。
【０００３】
ところで、テレビ番組の連続ドラマには、月曜日から金曜日まで、あるいは月曜日から土曜日までに放送される連続ドラマや、同じ曜日に週１回放送される連続ドラマがある。また、ニュース番組や天気予報番組は、毎日同じ時刻に放送される場合が多い。これらの連続ドラマやニュース番組や天気予報番組などのようなテレビ番組は、定期的に放送されるので、ここでは定期番組と呼ぶことにする。このような定期番組を情報記録再生装置に録画予約する際、日付け指定は行わず、放送時間帯と曜日や毎日を指定している。
【０００４】
そして、情報記録再生装置において、録画予約によりハードディスクに録画された定期番組を再生させる場合、ユーザは、リモコンの再生リストキーを操作して、ディスプレイ装置に再生リスト画面（タイトル一覧画面）を表示させ、未だ視聴していないタイトル（番組）を選択して、再生操作することにより、未視聴の定期番組を再生させていた。
【特許文献１】特開２００６−７４５８６号公報
【特許文献２】特開２００６−１８６６６３号公報
【発明の開示】
【発明が解決しようとする課題】
【０００５】
しかしながら、従来の情報記録再生装置では、定期番組を再生させる場合、連続ドラマであれば、ユーザは最も古い未視聴の定期番組から再生したいのが普通であるので、ユーザは再生リスト画面から未視聴で録画日の古い定期番組を選択する操作を行うが、このような操作はユーザにとって面倒であり、また、未視聴の定期番組であるかどうかを覚えている場合は問題がないが、忘れた場合は、試しに再生をさせなければならないので、このための再生操作も面倒になるという課題があった。
【０００６】
なお、特許文献１の従来技術では、再生番組選択部に対して、一つの番組再生が終わる度に、今再生が終わった番組と同じ番組タイトルで、記録された日時が今再生された番組に一番近く、かつ記録された日時が今再生された番組よりも後である番組を検索させ、存在すれば、それを再生部に送って再生させるように指示することにより、視聴したい番組の指定した部分から連続して、同じタイトルの番組を記録された順番に従って自動的に再生して視聴することができるようにしている。
【０００７】
しかしながら、この従来技術は、連続ドラマなどのような連続番組（定期番組に相当）を録画（記録）して、後で再生する場合に、連続番組を連続して再生するようになっているが、簡単な１回のキー操作により、未視聴の連続番組（定期番組）のみを再生できるようにしている訳ではない。
【０００８】
また、特許文献２の従来技術では、ハードディスク装置に記録されている複数の番組の中から、番組選択画面に連続番組（定期番組）の録画総数が表示されるようにして、連続番組が幾つ録画されているかがユーザに直ぐに解るようにしている。また、連続番組において、未視聴の中で最も古いもの順位が番組選択画面に表示するようにして、ユーザが、連続番組の未視聴の中で最も古い番組を容易に解り、かつ選択することができるようにしているが、連続番組の未視聴の中で最も古い番組を管理するだけで、未視聴の連続番組を連続再生するものではない。
【０００９】
本発明は、上記のような課題を解決するためになされたもので、録画された連続ドラマなどのような定期番組を週末などに視聴する際に、再生リスト画面をディスプレイ装置に表示させずに、再生キーを押下するだけで、未視聴の連続ドラマを再生できるようにした情報記録再生装置を提供することを目的とする。
【課題を解決するための手段】
【００１０】
上記目的を達成するために、請求項１の発明は、再生キーの押下を検出したときに、当該記録媒体に対して再生中でなく、リジュームがオンでない場合に、録画予約の際に、タイトル管理情報に付加した定期録画タイトルフラグにより、定期録画タイトルが有るか無いかを判定する定期録画タイトル有無判定手段と、前記定期録画タイトルが有ると判定された場合に、未視聴の定期録画タイトルが有るか無いかを視聴フラグにより判定する未視聴定期録画タイトル有無判定手段と、未視聴の定期録画タイトルが有ると判定された場合に、タイトル管理情報に基づいて前記未視聴の定期録画タイトルの中から最も古い未視聴の定期録画タイトルを選択する最古未視聴定期録画タイトル選択手段と、前記定期録画タイトルが無いと判定された場合、または前記未視聴の定期録画タイトルが無いと判定された場合に、タイトル管理情報に基づいて最も新しいタイトルを選択する最新タイトル選択手段と、前記最も古い未視聴の定期録画タイトルが選択された場合に、前記最も古い未視聴の定期録画タイトルに既にリジュームポイントが付いているか否かを判定するリジュームポイント判定手段と、既にリジュームポイントが付いていると判定された場合に、再生開始位置をリジュームポイントに設定し、リジュームポイントが付いていないと判定された場合には、再生開始位置をタイトル先頭に設定する再生開始位置設定手段と、前記設定された再生開始位置からタイトルの再生を開始させるタイトル再生開始手段とを有するシステムコントローラを備えたことを特徴とする情報記録再生装置を提供する。
【００１１】
この構成において、システムコントローラの定期録画タイトル有無判定手段は、再生キーの押下を検出したときに、当該記録媒体に対して再生中でなく、リジュームがオンでない場合に、録画予約の際にタイトル管理情報に付加した定期録画タイトルフラグにより、定期録画タイトルが有るか無いかを判定する。定期録画タイトルが有ると判定された場合は、未視聴定期録画タイトル有無判定手段は、未視聴の定期録画タイトルが有るか無いかを視聴フラグにより判定する。未視聴の定期録画タイトルが無いと判定された場合は、最新タイトル選択手段は、タイトル管理情報に基づいて最も新しいタイトルを選択する。
【００１２】
未視聴の定期録画タイトルが有ると判定された場合には、最古未視聴定期録画タイトル選択手段は、タイトル管理情報に基づいて未視聴の定期録画タイトルの中から最も古い未視聴の定期録画タイトルを選択する。次に、リジュームポイント判定手段は、前記最も古い未視聴の定期録画タイトルに既にリジュームポイントが付いているか否かを判定する。既にリジュームポイントが付いていると判定された場合に、再生開始位置設定手段は、再生開始位置をリジュームポイントに設定し、リジュームポイントが付いていないと判定された場合には、再生開始位置をタイトル先頭に設定する。そして、タイトル再生開始手段は、記録媒体の前記設定された再生開始位置からタイトルの再生を開始させる。
【００１３】
この構成によれば、録画された連続ドラマなどのような定期番組を週末などに視聴する際に、再生リスト画面をディスプレイ装置に表示させずに、再生キーを押下するだけで、未視聴の連続ドラマを再生することができ、これにより、録画された定期番組を視聴する際のユーザの余計な操作の手間を与えないようにすることができる。また、リジュームポイントの有無により、タイトル再生開始位置を変えることでき、リジュームポイントが有った場合は、当該タイトルの中でも未視聴の部分から再生することができ、ユーザにとっては効率の良い視聴を行うことができる。
【００１４】
請求項２の発明は、記録媒体に対してテレビ番組やその他の情報を記録／再生する情報記録再生装置において、再生キーの押下を検出したときに、当該記録媒体に対して再生中でなく、リジュームがオンでない場合に、未視聴の定期録画タイトルが有ると判定すると、前記未視聴の定期録画タイトルの中から最も古い未視聴の定期録画タイトルを選択し、再生を開始させるシステムコントローラを備えたことを特徴とする情報記録再生装置を提供する。
【００１５】
この構成において、再生キーの押下が検出されたときに、当該記録媒体に対して再生中でなく、リジュームがオンでない場合に、未視聴の定期録画タイトルが有ると判定されると、前記未視聴の定期録画タイトルの中から最も古い未視聴の定期録画タイトルが選択され、再生が開始される。
【００１６】
この構成によれば、録画された連続ドラマなどのような定期番組を週末などに視聴する際に、再生リスト画面をディスプレイ装置に表示させずに、再生キーを押下するだけで、未視聴の連続ドラマを再生することができ、これにより、録画された定期番組を視聴する際のユーザの余計な操作の手間を与えないようにすることができる。
【００１７】
請求項３の発明では、請求項２の発明において、前記システムコントローラは、再生キーの押下を検出したときに、当該記録媒体に対して再生中でなく、リジュームがオンでない場合に、録画予約の際に、タイトル管理情報に付加した定期録画タイトルフラグにより、定期録画タイトルが有るか無いかを判定する定期録画タイトル有無判定手段と、前記定期録画タイトルが有ると判定された場合に、未視聴の定期録画タイトルが有るか無いかを視聴フラグにより判定する未視聴定期録画タイトル有無判定手段と、未視聴の定期録画タイトルが有ると判定された場合に、タイトル管理情報に基づいて前記未視聴の定期録画タイトルの中から最も古い未視聴の定期録画タイトルを選択する最古未視聴定期録画タイトル選択手段と、前記定期録画タイトルが無いと判定された場合、または前記未視聴の定期録画タイトルが無いと判定された場合に、タイトル管理情報に基づいて最も新しいタイトルを選択する最新タイトル選択手段と、前記設定された再生開始位置からタイトルの再生を開始させるタイトル再生開始手段とを有する。
【００１８】
したがって、前記システムコントローラは、定期録画タイトル有無判定処理、未視聴定期録画タイトル有無判定処理、最古未視聴定期録画タイトル選択処理、および最新タイトル選択処理、および、タイトル再生開始処理を実現でき、これにより、録画された連続ドラマなどのような定期番組を週末などに視聴する際に、再生リスト画面をディスプレイ装置に表示させずに、再生キーを押下するだけで、未視聴の連続ドラマを再生することができるようになる。
【００１９】
請求項４の発明では、請求項３の発明において、前記システムコントローラは、前記最も古い未視聴の定期録画タイトルが選択された場合に、前記最も古い未視聴の定期録画タイトルに既にリジュームポイントが付いているか否かを判定するリジュームポイント判定手段と、既にリジュームポイントが付いていると判定された場合に、再生開始位置をリジュームポイントに設定し、リジュームポイントが付いていないと判定された場合には、再生開始位置をタイトル先頭に設定する再生開始位置設定手段と、前記設定された再生開始位置からタイトルの再生を開始させるタイトル再生開始手段とを有する。
【００２０】
したがって、前記システムコントローラは、リジュームポイント判定処理、再生開始位置設定処理、およびタイトル再生開始処理を実現でき、これにより、リジュームポイントの有無により、タイトル再生開始位置を変えることが可能になる。リジュームポイントが有った場合は、当該タイトルの中でも未視聴の部分から再生することができる。
【発明の効果】
【００２１】
以上のように本発明によれば、再生キーの押下を検出したときに、当該記録媒体に対して再生中でなく、リジュームがオンでない場合に、録画予約の際に、タイトル管理情報に付加した定期録画タイトルフラグにより、定期録画タイトルが有るか無いかを判定する定期録画タイトル有無判定手段と、前記定期録画タイトルが有ると判定された場合に、未視聴の定期録画タイトルが有るか無いかを視聴フラグにより判定する未視聴定期録画タイトル有無判定手段と、未視聴の定期録画タイトルが有ると判定された場合に、タイトル管理情報に基づいて前記未視聴の定期録画タイトルの中から最も古い未視聴の定期録画タイトルを選択する最古未視聴定期録画タイトル選択手段と、前記定期録画タイトルが無いと判定された場合、または前記未視聴の定期録画タイトルが無いと判定された場合に、タイトル管理情報に基づいて最も新しいタイトルを選択する最新タイトル選択手段と、前記最も古い未視聴の定期録画タイトルが選択された場合に、前記最も古い未視聴の定期録画タイトルに既にリジュームポイントが付いているか否かを判定するリジュームポイント判定手段と、既にリジュームポイントが付いていると判定された場合に、再生開始位置をリジュームポイントに設定し、リジュームポイントが付いていないと判定された場合には、再生開始位置をタイトル先頭に設定する再生開始位置設定手段と、前記設定された再生開始位置からタイトルの再生を開始させるタイトル再生開始手段とを有するシステムコントローラを備えたので、録画された連続ドラマなどのような定期番組を週末などに視聴する際に、再生リスト画面をディスプレイ装置に表示させずに、再生キーを押下するだけで、未視聴の連続ドラマを再生することができ、これにより、録画された定期番組を視聴する際のユーザの余計な操作の手間を与えないようにすることができる。また、リジュームポイントの有無により、タイトル再生開始位置を変えることでき、リジュームポイントが有った場合は、当該タイトルの中でも未視聴の部分から再生することができ、ユーザにとっては効率の良い視聴を行うことができる。
【００２２】
また、本発明によれば、再生キーの押下を検出したときに、当該記録媒体に対して再生中でなく、リジュームがオンでない場合に、未視聴の定期録画タイトルが有ると判定すると、前記未視聴の定期録画タイトルの中から最も古い未視聴の定期録画タイトルを選択し、再生を開始させるシステムコントローラを備えたので、録画された連続ドラマなどのような定期番組を週末などに視聴する際に、再生リスト画面をディスプレイ装置に表示させずに、再生キーを押下するだけで、未視聴の連続ドラマを再生することができ、これにより、録画された定期番組を視聴する際のユーザの余計な操作の手間を与えないようにすることができる。
【発明を実施するための最良の形態】
【００２３】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする定期番組（連続ドラマ等）の再生機能は、複合型記録再生装置に限らず、単体のハードディスク装置あるいは光ディスク装置に設けても、同様な効果を得ることができる。
【００２４】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２５】
また、この複合型記録再生装置１は、デコーダ５で復号された映像信号をモニタ装置（テレビ受信機など）１３のディスプレイ装置１３１で表示可能な映像信号に変換する映像出力部７と、再生リスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２６】
システムコントローラ１０は、本実施形態の特徴として、リモコン１１の再生キー（図示しない本体操作部の再生キーでも可）の押下を検出したときに、当該記録媒体に対して再生中でなく、リジュームがオンでない場合に、録画予約の際に、タイトル管理情報に付加した定期録画タイトルフラグにより、定期録画タイトルが有るか無いかを判定する定期録画タイトル有無判定手段と、前記定期録画タイトルが有ると判定された場合に、未視聴の定期録画タイトルが有るか無いかを視聴フラグにより判定する未視聴定期録画タイトル有無判定手段と、未視聴の定期録画タイトルが有ると判定された場合に、タイトル管理情報に基づいて前記未視聴の定期録画タイトルの中から最も古い未視聴の定期録画タイトルを選択する最古未視聴定期録画タイトル選択手段と、前記定期録画タイトルが無いと判定された場合、または前記未視聴の定期録画タイトルが無いと判定された場合に、タイトル管理情報に基づいて最も新しいタイトルを選択する最新タイトル選択手段と、前記最も古い未視聴の定期録画タイトルが選択された場合に、前記最も古い未視聴の定期録画タイトルに既にリジュームポイントが付いているか否かを判定するリジュームポイント判定手段と、既にリジュームポイントが付いていると判定された場合に、再生開始位置をリジュームポイントに設定し、リジュームポイントが付いていないと判定された場合には、再生開始位置をタイトル先頭に設定する再生開始位置設定手段と、前記設定された再生開始位置からタイトルの再生を開始させるタイトル再生開始手段とを有する。
【００２７】
図２は本実施形態においてタイトル管理情報の一例を説明するための図である。タイトル管理情報としては、録画された番組名を示すタイトル名、当該タイトルが録画予約により録画された録画開始日時、当該タイトルの録画時間の長さを示す録画時間長、当該タイトルの録画画質（ビットレート情報）を示す録画モード、当該タイトルを視聴したか否かを示す視聴フラグ、および当該タイトルが定期録画タイトルであるか否かを示す定期録画タイトルフラグを含み構成される。このようなタイトル管理情報は、ＨＤ（ハードディスク）１４のタイトル管理エリアに記録される。
【００２８】
このタイトル管理情報の例の場合、タイトルＮｏ．０１の連続ドラマＡは、録画開始日時が１０月２日１３時、録画時間長が３０分、録画モードがＳＰ、視聴フラグがオン、定期録画タイトルフラグがオンを示す。タイトルＮｏ．０２の洋画のステージは、録画開始日時が１０月２日２１時、録画時間長が２時間１０分、録画モードがＸＰ、視聴フラグがオフ、定期録画タイトルフラグがオフを示す。タイトルＮｏ．０３の連続ドラマＡは、録画開始日時が１０月３日１３時、録画時間長が３０分、録画モードがＳＰ、視聴フラグがオフ、定期録画タイトルフラグがオンを示す。タイトルＮｏ．０４の連続ドラマＡは、録画開始日時が１０月４日１３時、録画時間長が３０分、録画モードがＳＰ、視聴フラグがオフ、定期録画タイトルフラグがオンを示す。
【００２９】
タイトルＮｏ．０５の神秘の世界は、録画開始日時が１０月４日２３時、録画時間長が１時間、録画モードがＬＰ、視聴フラグがオン、定期録画タイトルフラグがオフを示す。タイトルＮｏ．０６の連続ドラマＡは、録画開始日時が１０月５日１３時、録画時間長が３０分、録画モードがＳＰ、視聴フラグがオフ、定期録画タイトルフラグがオンを示す。タイトルＮｏ．０７の音楽ワールドは、録画開始日時が１０月５日２０時、録画時間長が１時間１５分、録画モードがＸＰ、視聴フラグがオフ、定期録画タイトルフラグがオフを示す。タイトルＮｏ．０８の連続ドラマＡは、録画開始日時が１０月６日１３時、録画時間長が３０分、録画モードがＳＰ、視聴フラグがオフ、定期録画タイトルフラグがオンを示す。タイトルＮｏ．０９の連続ドラマＡは、録画開始日時が１０月７日１３時、録画時間長が３０分、録画モードがＳＰ、視聴フラグがオフ、定期録画タイトルフラグがオンを示す。
【００３０】
この例では、定期録画タイトルとしては、タイトルＮｏ．０１，０３，０４，０６，０８，０９の連続ドラマＡを示し、タイトルＮｏ．０１の連続ドラマＡについては視聴フラグがオンであるので、ユーザが既に視聴したことを示す。また、タイトルＮｏ．０５の神秘の世界についても、視聴フラグがオンであるので、ユーザが既に視聴したことを示す。当該タイトルが未視聴のタイトルであるか否かの判断は、視聴フラグにより判断し、この視聴フラグは、一定時間（例えば、当該タイトル全体の６分の５）再生すると、オン（ＴＲＵＥ）に設定されるようになっている。
【００３１】
図３は本実施形態において定期録画された連続ドラマなどの定期番組を再生する場合の処理を説明するためのフローチャートである。このフローチャートおよび図１、図２を参照して、定期録画された連続ドラマなどの定期番組を再生する場合の処理について説明する。
【００３２】
先ず、ユーザが、リモコン１１の電源キーを押下して、装置の電源をオンにし、装置が立ち上がった後、リモコン１１の再生キーを押下すると、システムコントローラ１０は、再生キーの押下を検出し（ステップＳ１）、ハードディスク装置３が動作可能状態であることを示すＨＤＤモードであるか否かを判定する（ステップＳ２）。ＨＤＤモードでない場合は、本処理は終了するが（ステップＳ１４）、ＨＤＤモードである場合には、システムコントローラ１０は、ハードディスク装置３が再生中でないか否かを判定し（ステップＳ３）、再生中であると判定した場合は、本処理は終了するが（ステップＳ１４）、再生中でないと判定した場合には、システムコントローラ１０は、ハードディスク装置３を駆動させ、ＨＤ（ハードディスク）１４に録画されているタイトルが有るか否かを判定する（ステップＳ４）。
【００３３】
ＨＤ１４に録画されているタイトルが無いと判定された場合は、再生対象がないので、本処理は終了するが（ステップＳ１４）、ＨＤ１４に録画されているタイトルが有ると判定された場合には、システムコントローラ１０は、リジュームがオンであるか否かを判定する（ステップＳ５）。リジュームがオンであると判定された場合、システムコントローラ１０は、リジュームタイトルを再生するタイトルに設定し（ステップＳ１３）、ハードディスク装置３を駆動させ、リジュームで停止したタイトルを続きから再生を開始させる（ステップＳ１５）。
【００３４】
リジュームがオンでないと判定された場合には、システムコントローラ１０の定期録画タイトル有無判定手段は、定期録画する際に、タイトル管理情報に付加した定期録画タイトルフラグ（図２参照）のオンまたはオフにより、定期録画タイトルが有るか無いかを判定する（ステップＳ６）。定期録画タイトルフラグがオフで定期録画タイトルが無いと判定された場合は、システムコントローラ１０の最新タイトル選択手段は、タイトル管理情報（図２参照）の録画開始日時（図２参照）に基づいて最も新しいタイトルを選択する（ステップＳ９）。前記最も新しいタイトルとは、例えば、図２に示すように、視聴フラグがオフであり、録画開始日時が最近のタイトルであるタイトルＮｏ．０９の連続ドラマＡである。そして、システムコントローラ１０は、ハードディスク装置３を駆動させ、前記選択された最も新しいタイトルの再生を開始させる（ステップＳ１５）。
【００３５】
定期録画タイトルフラグがオンで定期録画タイトルが有ると判定された場合は、システムコントローラ１０の未視聴定期録画タイトル有無判定手段は、未視聴の定期録画タイトルが有るか無いかを視聴フラグ（図２参照）により判定する（ステップＳ７）。視聴フラグがオンである定期録画タイトルは視聴済みであることを示し、視聴フラグがオフである定期録画タイトルは未視聴であることを示す。未視聴の定期録画タイトルが無いと判定された場合は、システムコントローラ１０の最新タイトル選択手段は、タイトル管理情報に基づいて最も新しいタイトルを選択する（ステップＳ９）。そして、システムコントローラ１０は、ハードディスク装置３を駆動させ、前記選択された最も新しいタイトルの再生を開始させる（ステップＳ１５）。
【００３６】
未視聴の定期録画タイトルが有ると判定された場合には、システムコントローラ１０の最古未視聴定期録画タイトル選択手段は、タイトル管理情報に基づいて未視聴の定期録画タイトルの中から最も古い未視聴の定期録画タイトルを選択する（ステップＳ８）。例えば、図２に示すように、最も古い未視聴の定期録画タイトルは、視聴フラグがオフで、かつ定期録画タイトルフラグがオンである連続ドラマＡの中で、一番古い録画開始日時１０月３日１３時であるタイトルＮｏ．０３の連続ドラマＡになる。
【００３７】
次に、システムコントローラ１０のリジュームポイント判定手段は、前記最も古い未視聴の定期録画タイトルに既にリジュームポイントが付いているか否かを判定する（ステップＳ１０）。既にリジュームポイントが付いていると判定された場合に、システムコントローラ１０の再生開始位置設定手段は、再生開始位置をリジュームポイントに設定し（ステップＳ１１）、リジュームポイントが付いていないと判定された場合には、再生開始位置をタイトル先頭に設定する（ステップＳ１２）。そして、システムコントローラ１０のタイトル再生開始手段は、ハードディスク装置３を駆動させ、ＨＤ１４の前記設定された再生開始位置からタイトルの再生を開始させる（ステップＳ１５）。
【００３８】
以上説明したように本実施形態によれば、録画された連続ドラマなどのような定期番組を週末などに視聴する際に、再生リスト画面をディスプレイ装置に表示させずに、再生キーを押下するだけで、未視聴の連続ドラマを再生することができ、これにより、録画された定期番組を視聴する際のユーザの余計な操作の手間を与えないようにすることができる。また、リジュームポイントの有無により、タイトル再生開始位置を変えることでき、リジュームポイントが有った場合は、当該タイトルの中でも未視聴の部分から再生することができ、ユーザにとっては効率の良い視聴を行うことができる。
【産業上の利用可能性】
【００３９】
本発明は、記録媒体として少なくともハードディスクを有し、このハードディスクに対してテレビ番組やその他の情報を記録／再生する情報記録再生装置に利用可能であり、特に、定期的に録画した連続ドラマなどを再生する場合に、再生キーを押下するだけで、未視聴の連続ドラマなどを再生することができるようにする。
【図面の簡単な説明】
【００４０】
【図１】本発明の一実施形態に係る情報記録再生装置としての複合型記録再生装置の構成を示すブロック図である。
【図２】前記実施形態においてタイトル管理情報の一例を説明するための図である。
【図３】前記実施形態において定期録画された連続ドラマなどの定期番組を再生する場合の処理を説明するためのフローチャートである。
【符号の説明】
【００４１】
１    複合型記録再生装置
１０    システムコントローラ（定期録画タイトル有無判定手段、未視聴的録画タイトル有無判定手段、最古未視聴定期録画タイトル選択手段、最新タイトル選択手段、リジュームポイント判定手段、再生開始位置設定手段、タイトル再生開始手段）
１４    ハードディスク（記録媒体）
【図１】
2008118427.tif 000003
【図２】
2008118427.tif 000004
【図３】
2008118427.tif 000005